(57)【要約】【課題】家具と天井や壁或いは床との機械的接続手段を全く採用することなく、家具の背部にのみ簡単に取り付けるだけで、地震による家具自体の振動を抑制するころができる簡単構造で安価に製作を可能にした転倒防止装置を提供する。【解決手段】家具の背部にスプリング機構を介して、滑り止め用の表面素材を配設した圧接パネルを接続し、前記スプリング機構は前記圧接パネルの表面素材を壁面に圧力を掛けることを可能にし、前記圧接パネルは前記表面素材を対面する壁面に平行に圧接可能にしたことを特徴とする家具類の転倒防止装置。【選択図】図１
2019134911.tif 000002
【特許請求の範囲】
【請求項１】
家具の背部にスプリング機構を介して、滑り止め用の表面素材を配設した圧接パネルを接続し、前記スプリング機構は前記圧接パネルの表面素材を壁面に圧力を掛けることを可能にし、前記圧接パネルは前記表面素材を対面する壁面に平行に圧接可能にしたことを特徴とする家具類の転倒防止装置。
【請求項２】
前記スプリング機構は、圧接パネルの平面素材を壁面に圧接させるものであり、押し込みコイル機構、ピストンシリンダー機構、マグネット反発機構の何れか一つにしたことを特徴とする請求項１に記載の家具類の転倒防止装置。
【請求項３】
前記圧接パネルの表面素材は、摩擦係数が大きい（０．７以上）天然ゴム、人工ゴム平面素材、化学合成樹脂平面素材、エンボス加工平面素材、粘着性素材の何れか一つにしたことを特徴とする請求項１〜請求項２の何れか一つに記載の家具等の転倒防止装置。
【発明の詳細な説明】
【技術分野】
【０００１】  本発明は、壁面に背面を向けて設置するタンス類、戸棚類、本棚類及び冷蔵庫等の高背の電気製品等（以下これらの家具類を総称して家具類と言う）の前倒れ転倒を防止する簡単堅牢安価製作構造の転倒防止装置に関する。
【背景技術】
【０００２】  従来、前記家具類の転倒を防止する家具等の転倒防止装置は、特許文献１〜特許文献１３にて紹介のように多数の型がある。
型式を整理すると、
１），高めの家具類しか適用できなく当該家具類の上天板と天井との間に介在させる突っ張りシャフトの転倒防止装置。
２），家具類の上天板の後ろ肩と同後ろ肩に接近している建具又は壁面との間に支持金物を密着当接接続させる転倒防止装置。
３），壁との接続はないが家具類の下板と床との間に介在させる敷台座式や脚部ダンパー式の転倒防止装置。
４），家具類の背側とこれに対面する建具又は壁との間を機械的連結金具で連結した壁連結式の転倒防止装置．
などが公知である。
【先行技術文献】
【特許文献】
【０００３】
【特許文献１】特開平０８−２４２９５２号公報「滑り台座式の家具転倒防止法及び装置」未審査請求によるみなし取下処分
【特許文献２】特開平０９−９４１２８号公報「壁レール固定式の家具転倒防止装置」未審査請求によるみなし取下処分
【特許文献３】特開平１１−７５９７６号公報「家具転倒防止器具装置付き収納ケース装置」未審査請求によるみなし取下処分
【特許文献４】特開２００４−３１６９１７号公報「ダンパー付家具可動部（引出し）の減衰装置（ダンパー）」Ｈ１９．４．１９拒絶査定
【特許文献５】特開２００６−１１６１２７号公報「脚部に取り付ける家具転倒防止金具」未審査請求によるみなし取下処分
【特許文献６】特開２００７−６８６８７号公報「天井突張式の家具転倒防止具」未審査請求によるみなし取下処分
【特許文献７】特開２００８−６２００７号公報「壁と家具にカーテンレール状金具を取り付けた転倒防止付家具」未審査請求によるみなし取下処分
【特許文献８】特開２０１４−８３４１３号公報「スプリングプラス突っ張り棒」Ｈ２６．１０．７拒絶査定
【特許文献９】特開２０１５−５４１１２号公報「懸吊棹式の家具転倒防止用スタンド」未審査請求によるみなし取下処分
【特許文献１０】実開平６１−７２２４５号公報「家具転倒防止当具」権利消滅
【特許文献１１】実用新案登録第３０２８３３４号公報「突っ張り棒式の木製伸縮式家具転倒防止具」Ｈ１１．６．１９権利消滅
【特許文献１２】実用新案登録第３１１２００９号公報「敷土台式の家具転倒防止台」Ｈ２０．６．１５権利消滅
【特許文献１３】実用新案登録第３１２６５５０号公報「壁接続式の耐震用転倒防止具の付いた家具」Ｈ２１．１０．１１権利消滅
【発明の概要】
【発明が解決しようとする課題】
【０００４】  これ等の従来の転倒防止装置は、家具類と天井や壁との機械的接続手段を多く採用するため、接続手段には機械的な引っ張り強度、曲げ強度、接着強度、突っ張り強度などを必要とする複雑で高額な構造になる。【０００５】  本発明は、家具類と天井や壁或いは床との間に機械的接続手段を全く採用することなく、家具類の背部にのみ簡単に取り付けるだけで、地震による家具類自体の振動転倒を抑制することができる簡単構造で安価に製作を可能にした家具類の転倒防止装置を提供する。
【課題を解決するための手段】
【０００６】  本発明の家具類の転倒防止装置は前記の課題を全て満足するものであり、その特徴とするところは次の（１）〜（３）の通りである。【０００７】  （１）、家具の背部にスプリング機構を介して、滑り止め用の表面素材を配設した圧接パネルを接続し、前記スプリング機構は前記圧接パネルの表面素材を壁面に圧力を掛けることを可能にし、前記圧接パネルは前記表面素材を対面する壁面に平行に圧接可能にしたことを特徴とする家具類の転倒防止装置。【０００８】  （２）、前記スプリング機構は、圧接パネルの表面素材を壁面に圧接させるものであり、コイルバネ機構、ピストンシリンダー機構、マグネット反発機構の何れか一つにすることを特徴とする前記（１）に記載の家具類の転倒防止装置。【０００９】  （３）、前記圧接パネルの表面素材は、天然ゴム素材、人工ゴム素材、化学合成樹脂素材、エンボス加工平面素材、粘着性素材の何れか一つにしたことを特徴とする前記（１）〜（３）のいずれか一つに記載の家具等の転倒防止装置。【００１０】
【発明の効果】
【００１１】  本発明の家具等の転倒防止装置は、家具類と天井や壁との機械的接続手段を採用することなく、しかも天井や壁に対する一切の工事をすることなく、しかも家具類の高さに関係なく、家具類の背部に直接或いは取り付け板を介して取り付けて圧接パネルの表面素材を壁面に所定の圧力で圧接するだけで、地震による家具自体の縦振動、横振動等のあらゆる方向の振動を抑制することができる簡単構造で安価な製作を可能にした優れた作用効果を呈するものである。【００１２】  また本発明の転倒防止装置は、地震が起きた際、家具類の上下動を抑制する作用効果は、前記表面素材の圧接する壁が和風壁、クロス壁、ベニヤ壁等の何れでも確実に得られる。【００１３】  また圧接パネルの表面素材の圧接面を大きくすれば、重量体の冷蔵庫などもその背面に簡単な取り付け治具を介して容易に取り付けて、その転倒防止をなんなく可能にする。【００１４】  また、前記圧接パネルの正面の圧接面形状を、弾性変形可能にした凹湾曲面や凹球面にするか、或いは前記圧接パネルの後面支持部材に回転軸を設け又はユニバーサルジョイントを設けて、圧接パネルを左右上下回動可能にして、前記圧接パネルの正面の全面が壁面に正常に圧接フィットさせることができる。【００１５】  更に、前記家具類の下部板の前面側に家具類が動かないように滑り止め布を敷くと共に、転倒防止装置本体と家具類の上部に設けた当て材をワイヤーで連結することが可能である。【００１６】  叉、壁材によっては滑り防止用の表面素材の機能が効かない場合がある。この場合は表面素材に粘着素材シートを用いることが考えられるが、粘着素材シートが経年劣化するので家具類を移動させるとき壁面を痛めるので家具類の引出が困難になる。このため転倒防止装置本体と圧接パネルを永久磁石を利用した連結・分離機構により接続して、圧接パネルや表面素材を交換可能にすることができる。
【図面の簡単な説明】
【００１７】
【図１】本発明の実施例１を示し、（１）は全体の側面説明図であり、（２）は（３）の矢視Ａ−Ａからの縦断面説明図であり、（３）は（２）の矢視Ｂ−Ｂから見た正面図である。
【図２】本発明の実施例２を示す縦断面説明図である。
【図３】本発明の実施例３を示す縦断面説明図である。
【図４】本発明の実施例４を示す縦断面説明図である。
【図５】本発明の実施例５を示す縦断面説明図である。
【図６】本発明の実施例６を示す縦断面説明図である。
【図７】本発明の実施例７を示す縦断面説明図である。
【発明を実施するための形態】
【００１８】  本発明を実施するための形態を以下の実施例により詳細に説明する。
【実施例１】
【００１９】  図１（１）〜（３）において本発明の実施例１を説明する。
実施例１は、家具類Ｋの背部にコイルバネ機構１０を介して、表面素材２１を配設した圧接パネル２０を接続し、前記圧接パネル２０の前記表面素材２１を家具類Ｋの背部に対面する壁面Ｗに平行に圧接可能にし、前記コイルバネ機構１０は、前記圧接パネル２０の前記表面素材２１を対面する壁面Ｗに強い圧力で圧接して、前記圧接パネル２０の表面素材２１を摩擦係数の大きな天然ゴムにした家具類の転倒防止装置である。【００２０】  前記圧接パネル２０は、（３）に示すように表面形状を矩形にした硬質樹脂板製でその前部表面をフラット面又は少し凹湾曲面に形成し、前記天然ゴム素材２１を前部全面と後部四縁に亘り張設してあり、後部中央を水平シャフト３０の先部に接続固定具３１を介して支持されている。【００２１】  前記コイルバネ機構１０は、前記水平シャフト３０の後部を接続固定支持する前後可動部材１１と、前記前後可動部材１１を所定量前後移動可能に収容し後端部を取付台座１２に固定したケース１３と、前記ケース１３内で前後可動部材１１の後面に先端部を接続し前記取付台座１２の底部座１４周囲に後端部を接続した押し込みコイルバネ１５とからなる。【００２２】  これで家具類に取付前の前記コイルバネ機構１０は、押し込みコイルバネ１５からの押し込み力により前後可動部材１１を前記ケース１３の前端部のストパー位置に当接して前進動を停止されている。そして家具類に取付けて前記圧接パネル２０の前記天然ゴム素材２１を壁面Ｗに当接させるとその反発力により前記前後可動部材１１が押し込みコイルバネ１５に抗して後退するが、押し込みコイルバネ１５の押し込み力が増大して、壁面Ｗへの前記天然ゴム素材２１の接触圧が増大して、壁面Ｗの振動時に発生する前記天然ゴム素材２１の摩擦力を大きくして、家具類に伝達する振動を抑制して家具類の転倒を防止するのである。
【実施例２】
【００２３】  図２において本発明の実施例２を説明する。
実施例２は、家具類の背部にピストンシリンダー機構４０を介して、表面素材５１を配設した圧接パネル５０を接続し、前記圧接パネル５０の前記平面素材５１を家具類Ｋの背部に対面する壁面に平行にして圧接可能にし、前記ピストンシリンダー機構４０は、前記圧接パネル５０の前記表面素材５１を対面する壁面Ｗに大きな圧力で圧接する。前記圧接パネル５０の表面素材５１は摩擦係数が大きな人工ゴムにした家具類の転倒防止装置である。【００２４】  前記圧接パネル５０は、実施例１と同様の硬質樹脂板製にし、その前部表面をフラットに形成し、前記人工ゴム素材５１を前部全面と後部四縁に亘り張設してあり、後部中央を水平シャフト６０の先部に接続固定具６１を介して支持されている。【００２５】  前記ピストンシリンダー機構４０は、前記水平シャフト６０の後部に接続固定支持する前後可動ピストン４１と、前記前後可動ピストン４１を所定量前後移動可能に収容し後端部を取付台座４２に固定し陽圧にした空気室４３を有するシリンダー４４とからなる。  前記空気室には図示していないがエアーバッグを収容してもよい。取付台座４２は家具類Ｋに設置の補助板ＫＨにネジ止めして固定してある【００２６】  これで家具類に取付前のピストンシリンダー機構４０は、空気室４３からの反発力により前後可動ピストン４１をシリンダー４４内のストパー位置に当接して前進動を停止されている。家具類に取付けて前記圧接パネル５０の前記人工ゴム素材５１が壁面Ｗに当接すると前後可動ピストン４１は空気室４３からの反発力に抗して後退するが、空気室４３内の圧力が増大して、壁面Ｗへの前記人工ゴム素材５１の接触圧が増大して、壁面Ｗの振動時に発生する前記天然ゴム素材２１の摩擦力を大きくして、家具類に伝達する振動を抑制して家具類の転倒を防止するのである。
【実施例３】
【００２７】  図３において本発明の実施例３を説明する。
実施例３は、家具類Ｋの背部にマグネット反発機構７０を介して、表面素材８１を配設した圧接パネル８０を接続し、前記圧接パネル８０の前記平面素材８１を家具類Ｋの背部に対面する壁面Ｗに平行にして圧接可能にし、前記マグネット反発機構７０は、前記圧接パネル８０の前記表面素材８１を対面する壁面Ｗに強力な圧力で圧接し、前記圧接パネル８０の表面素材８１を摩擦係数の大きなエンボス加工樹脂素材にした家具類の転倒防止装置である。【００２８】  前記圧接パネル８０は、実施例１と同様の硬質樹脂板製でその前部表面をフラットに形成し、前記エンボス加工樹脂素材８１を前部全面と後部四縁に亘り張設してあり、後部中央を水平シャフト９０の先部に接続固定具９１を介して支持されている。【００２９】  前記マグネット反発機構７０は、前記水平シャフト９０の後部に磁極のＳ側を接続固定支持した可動マグネット７１と、前記可動マグネット７１と水平シャフト９０を所定量前後移動可能に収容し後端部を取付台座７２に固定したシリンダー７３と、前記シリンダー７３内の後部に位置固定し磁極のＮ側を前記可動マグネット７１の磁極Ｎ側に対面させた反発マグネット７４とからなる。取付台座４２は家具類Ｋに設置の補助板ＫＨにネジ止めして固定してある【００３０】  これで家具類に取付前の前記可動マグネット７１は、反発マグネット７４の反発力によりシリンダー７３内のストパー位置に当接して前進動を停止されている。家具類に取付けて前記圧接パネル８０の前記エンボス加工樹脂素材８１が壁面Ｗに当接すると反発マグネット７４の反発力に抗して可動マグネット７１が後退するが、反発マグネット７４の反発力が増大して、壁面Ｗへの前記エンボス加工樹脂素材８１の接触圧が増大して、壁面Ｗの振動時に発生する前記エンボス加工樹脂素材８１の摩擦力を大きくして、家具類に伝達する振動を抑制して家具類の転倒を防止するのである。
【実施例４】
【００３１】  図４に示すように、前記家具類Ｋ下部板Ｋ１面側に家具類Ｋ動かないように滑り止め布１００と共に、転倒防止装置本体と家具類Ｋの上部板Ｋ２に取り付けた当て材１０１をワイヤー１０２で連結することが可能である。
【実施例５】
【００３２】  実施例１に加えて、図５に示すように、壁材によっては滑り防止用の表面素材の機能が効かない場合がある。この場合は、表面素材に粘着素材シートを用いることが考えられるが、粘着素材シートが経年劣化するから家具類を移動させるとき壁面を痛めるので家具類を壁側から離脱することが困難になる。このため転倒防止装置本体と圧接パネル１１０を永久磁石１１１を利用した連結分離機構により接続して、圧接パネル１１０を或いは表面素材１１２を交換可能にすることができる。本例は、圧接パネル１１０と水平シャフト３０を接続固定する接続固定具１１４の中央部に永久磁石１１１を固定し、圧接パネル１１０の少なくとも中央部を磁性材にしてこの裏面を磁着・離脱可能に永久磁石１１１に対面しておくものである。その他の構成部は図１の（２）に同一でありその詳細説明を省略する。
【実施例６】
【００３３】  図６の例は、前記圧接パネル２００の正面の全面が壁面に圧接フィットさせるため、前記圧接パネル２００を弾性変形可能にし、その正面の圧接面形状を凹湾曲面や凹球面２０１にして表面素材２０２を張設することが可能である。その他の構成部は図１の（２）に同一でありその詳細説明を省略する。
【実施例７】
【００３４】  図７の例は前記圧接パネルの正面の全面が壁面に圧接フィットさせる他の機構として、前記圧接パネルの後面を回転軸、回転ボールジョイント３００を介して又はユニバーサルジョイントを介して支持し圧接パネル２０を左右上下回動可能にすることが可能である。その他の構成部は図１の（２）に同一でありその詳細説明を省略する。
【発明の産業上の利用】
【００３５】  本発明は、地震への優れた防災作用効果を呈するため、一般家庭は勿論、家具類等の製造販売使用産業界に顕著に貢献すること多大なものがある。
【符号の説明】
【００３６】  Ｋ：家具類
Ｗ：壁面
１０：コイルスプリング式スプリング機構
１１：前後可動部材
１２：取付台座
１３：ケース
１４：底部座
１５：コイルスプリング
２０：圧接パネル
２１：表面素材
３０：水平シャフト
３１：接続固定具
４０：ピストンシリンダー式スプリング機構
４１：可動ピストン
４２：取付台座
４３：空気室
４４：シリンダー
５０：圧接パネル
５１：表面素材
６０：水平シャフト
６１：接続固定具
７０：マグネット吸着又は反撥式スプリング機構
７１：可動マグネット
７２：取付台座
７３：シリンダー
７４：反撥マグネット
８０：圧接パネル
８１：表面素材
９０：水平シャフト
９１：接続固定具
【図１】
2019134911.tif 000003
【図２】
2019134911.tif 000004
【図３】
2019134911.tif 000005
【図４】
2019134911.tif 000006
【図５】
2019134911.tif 000007
【図６】
2019134911.tif 000008
【図７】
2019134911.tif 000009